(57)【要約】【課題】受信側のオーディオクロック再生用ＰＬＬをロックさせるための情報として、オーディオサンプリング周波数を示す情報を伝送しなくても、オーディオサンプリング周波数の変化に応じて、受信側のオーディオクロック再生用ＰＬＬのＶＣＯの発振周波数レンジを切り換えることができるようにする。【解決手段】ピクセルクロックの周波数をｆｐ、オーディオサンプリング周波数をｆｓ、再生するオーディオクロックの周波数をｆａとすると、ｆａ＝３８４ｆｓ＝（Ｎ／Ｍ）ｆｐであり、ｆｓ＝４８ｋＨｚのときにはＭ＝２７０００，Ｎ＝１８４３２、ｆｓ＝４４．１ｋＨｚのときにはＭ＝３００００,Ｎ＝１８８１６である。ＶＣＯ制御部５０は、ループフィルタ４４の出力の制御電圧Ｖｃｔｌまたは発振部３０の出力クロックの周波数ｆｏから、オーディオサンプリング周波数ｆｓの変化を検出して、ＶＣＯ３１，３２のいずれかを選択する。【選択図】図２
2005065093.tif 000002
【特許請求の範囲】
【請求項１】
送信側において、オーディオデータ以外のコンテンツデータにオーディオデータを多重化し、前記コンテンツデータ用の基準クロック、およびこの基準クロックとオーディオサンプリング周波数に応じた周波数のオーディオクロックとの間の分周比を示す情報を付加して、受信側に伝送し、
受信側において、前記基準クロックによって前記コンテンツデータを処理し、前記基準クロックおよび前記分周比情報から、ＰＬＬ（Ｐｈａｓｅ  Ｌｏｃｋｅｄ  Ｌｏｏｐ）によってオーディオクロックを再生し、その再生されたオーディオクロックによって前記オーディオデータを処理するデジタル伝送システムであって、
前記ＰＬＬには、内部に得られる信号からオーディオサンプリング周波数の変化を検出し、オーディオサンプリング周波数が変化したと判断したときには、前記ＰＬＬを構成するＶＣＯ（Ｖｏｌｔａｇｅ  Ｃｏｎｔｒｏｌｌｅｄ  Ｏｓｃｉｌｌａｔｏｒ）の発振周波数レンジを切り換える制御手段が設けられたデジタル伝送システム。
【請求項２】
請求項１のデジタル伝送システムにおいて、
前記制御手段は、前記ＰＬＬを構成する位相比較器の出力の誤差信号から、オーディオサンプリング周波数の変化を検出するデジタル伝送システム。
【請求項３】
請求項１のデジタル伝送システムにおいて、
前記制御手段は、前記ＶＣＯの発振周波数から、オーディオサンプリング周波数の変化を検出するデジタル伝送システム。
【請求項４】
基準クロック、およびこの基準クロックとオーディオサンプリング周波数に応じた周波数のオーディオクロックとの間の分周比を示す情報から、ＰＬＬ（Ｐｈａｓｅ  Ｌｏｃｋｅｄ  Ｌｏｏｐ）によってオーディオクロックを再生する装置であって、
前記ＰＬＬの内部に得られる信号からオーディオサンプリング周波数の変化を検出し、オーディオサンプリング周波数が変化したと判断したときには、前記ＰＬＬを構成するＶＣＯ（Ｖｏｌｔａｇｅ  Ｃｏｎｔｒｏｌｌｅｄ  Ｏｓｃｉｌｌａｔｏｒ）の発振周波数レンジを切り換える制御手段を備えるクロック再生装置。
【請求項５】
請求項４のクロック再生装置において、
前記制御手段は、前記ＰＬＬを構成する位相比較器の出力の誤差信号から、オーディオサンプリング周波数の変化を検出するクロック再生装置。
【請求項６】
請求項４のクロック再生装置において、
前記制御手段は、前記ＶＣＯの発振周波数から、オーディオサンプリング周波数の変化を検出するクロック再生装置。
【発明の詳細な説明】
【技術分野】
【０００１】
この発明は、オーディオデータ以外のビデオデータなどのコンテンツデータ、およびオーディオデータを、送信側から受信側に伝送し、受信側で処理するデジタル伝送システム、および、このデジタル伝送システムの受信側に設けられるオーディオ用のクロックを再生する装置に関する。
【背景技術】
【０００２】
ビデオディスク再生装置やビデオテープ再生装置、またはパーソナルコンピュータなどの信号源からのビデオ信号を、デジタルビデオデータとして伝送する場合の規格として、ＤＶＩ（Ｄｉｇｉｔａｌ  Ｖｉｄｅｏ  Ｉｎｔｅｒｆａｃｅ）と称される規格が考えられている。
【０００３】
このＤＶＩ規格では、ビデオ信号を、ＲＧＢ（赤、緑、青）各色の信号ごとにピクセル単位でデジタル化したデータとして、ＤＶＩケーブル（ＤＶＩ規格で規定されたケーブル）によって伝送するもので、ビデオデータをピクセル単位のデータとするので、高品位の画像を伝送することができる。
【０００４】
しかし、このＤＶＩ規格は、ビデオデータの伝送に関するものであって、ビデオデータと同時にオーディオデータを伝送する場合には、オーディオデータをＤＶＩケーブルとは別の伝送手段によって伝送する必要がある。しかし、そうすると、伝送システムの構成が複雑となる。
【０００５】
そこで、特許文献１（ＷＯ ０２/０７８３３６（ＰＣＴ/ＪＰ０２/０２８２４））では、以下のように、オーディオデータをビデオデータに多重化して伝送する方法が提案されている。
【０００６】
具体的に、特許文献１の方法では、ビデオデータの水平ブランキング期間または垂直ブランキング期間にオーディオデータを重畳して、ビデオデータおよびオーディオデータを伝送する。
【０００７】
これによれば、ＤＶＩ規格のような既存のビデオデータ伝送フォーマットおよびＤＶＩケーブルのような一つの伝送手段によって、ビデオデータとオーディオデータを同時に伝送することができる。
【０００８】
ただし、この方式では、データ処理用のクロックとしては、ビデオデータ用のピクセルクロック（基準クロック）は、直接伝送するが、オーディオデータ用のクロック、すなわちオーディオクロックは、直接伝送しないで、ピクセルクロックとオーディオクロックとの間の分周比を示す情報を伝送し、受信側では、この分周比情報とピクセルクロックとから、ＰＬＬ（Ｐｈａｓｅ  Ｌｏｃｋｅｄ  Ｌｏｏｐ）によってオーディオクロックを再生する。
【０００９】
具体的に、図６に示すように、ピクセルクロックの周波数ｆｐは、例えば、２７ＭＨｚであり、オーディオクロックの周波数ｆａは、オーディオサンプリング周波数ｆｓに応じて、例えば、ｆｓ＝４８ｋＨｚのときには、その３８４倍の１８．４３２ＭＨｚであり、ｆｓ＝４４．１ｋＨｚのときには、その３８４倍の１６．９３４４ＭＨｚであり、オーディオクロック周波数ｆａは、
ｆａ＝３８４ｆｓ＝（Ｎ／Ｍ）ｆｐ  …（１）
で表されるものとして、オーディオクロックそれ自体やオーディオサンプリング周波数ｆｓを示す情報ではなく、分周比Ｍ，Ｎを示す情報を伝送する。
【００１０】
図６に示すように、分周比Ｍ，Ｎは、オーディオサンプリング周波数ｆｓが４８ｋＨｚのときには、Ｍ＝２７０００,Ｎ＝１８４３２であり、オーディオサンプリング周波数ｆｓが４４．１ｋＨｚのときには、Ｍ＝３００００,Ｎ＝１８８１６である。
【００１１】
そして、受信側では、図７に示すようなオーディオＰＬＬによって、送信側から伝送されたピクセルクロックおよび分周比Ｍ，Ｎの情報から、オーディオクロックを再生する。
【００１２】
具体的に、このオーディオＰＬＬ６０は、ＶＣＯ６１を有し、分周器７１でｆｐ＝２７ＭＨｚのピクセルクロックが１／Ｍに分周されて、分周器７１からｆｒ＝ｆｐ／Ｍの周波数の基準信号が得られ、分周器７２でＶＣＯ６１の出力クロックが１／Ｎに分周されて、ＶＣＯ６１の出力クロックの周波数をｆｏとすると、分周器７２からｆｃ＝ｆｏ／Ｎの周波数の比較信号が得られ、位相比較器７３で基準信号と比較信号の位相が比較され、その比較結果の誤差信号がループフィルタ７４に供給され、ループフィルタ７４の出力電圧が制御電圧ＶｃｔｌとしてＶＣＯ６１に供給されて、ＶＣＯ６１の発振周波数、すなわち出力クロックの周波数ｆｏが制御される構成とされる。
【００１３】
すなわち、Ｍ＝２７０００,Ｎ＝１８４３２であるときには、分周器７２からの比較信号の周波数ｆｃが分周器７１からの基準信号の周波数ｆｒと等しい１ｋＨｚとなり、ＶＣＯ６１の発振周波数ｆｏが１８．４３２ＭＨｚとなるようにＶＣＯ６１が制御されて、ＶＣＯ６１の出力クロックとして１８．４３２ＭＨｚのオーディオクロックが得られ、Ｍ＝３００００,Ｎ＝１８８１６であるときには、分周器７２からの比較信号の周波数ｆｃが分周器７１からの基準信号の周波数ｆｒと等しい９００Ｈｚとなり、ＶＣＯ６１の発振周波数ｆｏが１６．９３４４ＭＨｚとなるようにＶＣＯ６１が制御されて、ＶＣＯ６１の出力クロックとして１６．９３４４ＭＨｚのオーディオクロックが得られるように、オーディオＰＬＬ６０が構成される。
【００１４】
上に挙げた先行技術文献は、次の通りである。
【特許文献１】ＷＯ ０２/０７８３３６（ＰＣＴ/ＪＰ０２/０２８２４）
【発明の開示】
【発明が解決しようとする課題】
【００１５】
しかしながら、図７のように、オーディオＰＬＬ６０として、一つのＶＣＯ６１の、一つの発振周波数レンジで，１８．４３２ＭＨｚと１６．９３４４ＭＨｚという２つのオーディオクロック周波数に対応させることは難しく、実際上は、１８．４３２ＭＨｚ用の発振周波数レンジのＶＣＯと、１６．９３４４ＭＨｚ用の発振周波数レンジのＶＣＯとを設け、再生するオーディオクロックの周波数に応じて両者を切り換える必要がある。
【００１６】
しかし、上述したデジタル伝送システムの、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）と称される規格では、受信側のオーディオクロック再生用ＰＬＬをロックさせるための情報として、オーディオサンプリング周波数ｆｓを示す情報を、オーディオデータに重畳して伝送することはできない。
【００１７】
そのため、オーディオサンプリング周波数ｆｓを示す情報を、ビデオデータやオーディオデータを伝送するＤＶＩケーブルのような伝送手段とは別の伝送手段によって送信側から受信側に伝送し、受信側において、その情報によってＶＣＯの発振周波数レンジを切り換えることが考えられる。
【００１８】
しかし、そうすると、別の伝送手段だけでなく、送信側および受信側には、オーディオサンプリング周波数ｆｓを示す情報用のエンコーダおよびデコーダを必要とし、伝送システムの構成が複雑になる。
【００１９】
しかも、ビデオデータやオーディオデータと共に伝送されるピクセルクロックおよび分周比Ｍ，Ｎの情報と、オーディオサンプリング周波数ｆｓを示す情報との間に、伝送時間の差によって時間的なずれを生じ、送信側でオーディオ信号の信号源が切り換えられて、オーディオサンプリング周波数ｆｓが変化し、分周比Ｍ，Ｎが変化しても、受信側ではＶＣＯの発振周波数レンジが直ちに切り換えられない、という不具合や、送信側でのエンコードミスなどによって、オーディオサンプリング周波数ｆｓを示す情報が、伝送されるオーディオデータと対応しないものとなって、伝送されたオーディオデータに対応したオーディオクロックが得られない、という不具合を生じる。
【００２０】
そこで、この発明は、送信側から受信側に、受信側のオーディオクロック再生用ＰＬＬをロックさせるための情報として、オーディオサンプリング周波数を示す情報を伝送しなくても、オーディオサンプリング周波数の変化に応じて、受信側のオーディオクロック再生用ＰＬＬのＶＣＯの発振周波数レンジを直ちに正確に切り換えることができ、オーディオサンプリング周波数に対応した周波数のオーディオクロックを確実に再生することができるようにしたものである。
【課題を解決するための手段】
【００２１】
この発明のデジタル伝送システムは、
送信側において、オーディオデータ以外のコンテンツデータにオーディオデータを多重化し、前記コンテンツデータ用の基準クロック、およびこの基準クロックとオーディオサンプリング周波数に応じた周波数のオーディオクロックとの間の分周比を示す情報を付加して、受信側に送信し、
受信側において、前記基準クロックによって前記コンテンツデータを処理し、前記基準クロックおよび前記分周比情報から、ＰＬＬ（Ｐｈａｓｅ  Ｌｏｃｋｅｄ  Ｌｏｏｐ）によってオーディオクロックを再生し、その再生されたオーディオクロックによって前記オーディオデータを処理するデジタル伝送システムであって、
前記ＰＬＬには、内部に得られる信号からオーディオサンプリング周波数の変化を検出し、オーディオサンプリング周波数が変化したと判断したときには、前記ＰＬＬを構成するＶＣＯ（Ｖｏｌｔａｇｅ  Ｃｏｎｔｒｏｌｌｅｄ  Ｏｓｃｉｌｌａｔｏｒ）の発振周波数レンジを切り換える制御手段が設けられたものである。
【発明の効果】
【００２２】
この発明によれば、送信側から受信側に、受信側のオーディオクロック再生用ＰＬＬをロックさせるための情報として、オーディオサンプリング周波数を示す情報を伝送しなくても、オーディオサンプリング周波数の変化に応じて、受信側のオーディオクロック再生用ＰＬＬのＶＣＯの発振周波数レンジを直ちに正確に切り換えることができ、オーディオサンプリング周波数に対応した周波数のオーディオクロックを確実に再生することができる。
【発明を実施するための最良の形態】
【００２３】
〔デジタル伝送システムの実施形態：図１〕
図１は、この発明のデジタル伝送システムの一実施形態を示す。
【００２４】
この実施形態のデジタル伝送システムでは、送信側１０の信号源１１から、ビデオ信号およびオーディオ信号が得られる。信号源１１は、ＴＶ（テレビジョン）チューナやパーソナルコンピュータ、または光ディスクや磁気テープなどの記録媒体からビデオ信号またはオーディオ信号を再生する装置などであり、ビデオ信号とオーディオ信号につき、同一でも、別個でもよい。
【００２５】
信号源１１から得られるビデオ信号は、ビデオ処理部１２で、ＰＬＬ１４からのピクセルクロックによって処理され、ビデオ処理部１２から、処理後のビデオデータが得られる。ピクセルクロック周波数ｆｐは、例えば、２７ＭＨｚであり、処理後のビデオデータは、例えば、ＲＧＢ（赤、緑、青）各色の信号ごとにピクセル単位でデジタル化されたデータである。
【００２６】
信号源１１から得られるオーディオ信号は、オーディオ処理部１３で、ＰＬＬ１４からのオーディオクロックによって処理され、オーディオ処理部１３から、処理後のオーディオデータが得られる。オーディオサンプリング周波数ｆｓは、例えば、４８ｋＨｚまたは４４．１ｋＨｚであり、オーディオクロック周波数ｆａは、例えば、オーディオサンプリング周波数ｆｓの３８４倍の１８．４３２ＭＨｚまたは１６．９３４４ＭＨｚであり、処理後のオーディオデータは、所定フォーマットでデジタル化されたデータである。
【００２７】
分周比演算部１５では、ピクセルクロック周波数ｆｐおよびオーディオクロック周波数ｆａまたはオーディオサンプリング周波数ｆｓから、分周比Ｍ，Ｎが算出される。具体的に、分周比演算部１５は、ピクセルクロック周波数ｆｐおよびオーディオクロック周波数ｆａまたはオーディオサンプリング周波数ｆｓと分周比Ｍ，Ｎとの対応関係が記述されたテーブルを有し、そのテーブルから分周比Ｍ，Ｎが読み出される構成とすることができる。
【００２８】
そして、多重化変調送信部１６において、ビデオ処理部１２からのビデオデータ、オーディオ処理部１３からのオーディオデータ、ＰＬＬ１４からのピクセルクロック、および分周比演算部１５からの分周比Ｍ，Ｎの情報が、多重化され、伝送用に変調されて、ＤＶＩケーブルのようなケーブル１によって、受信側２０に伝送される。具体的に、オーディオデータは、ビデオデータの水平ブランキング期間または垂直ブランキング期間に重畳される。
【００２９】
なお、信号源１１、ビデオ処理部１２、オーディオ処理部１３、ＰＬＬ１４、分周比演算部１５および多重化変調送信部１６は、コントローラ１７によって制御される。
【００３０】
受信側２０では、受信復調分離部２１で、ケーブル１によって送信側１０から伝送された信号が、受信復調され、ビデオデータ、オーディオデータ、ピクセルクロックおよび分周比Ｍ，Ｎの情報に分離される。
【００３１】
分離されたビデオデータは、ビデオ処理部２２で、分離されたピクセルクロックによって処理され、ビデオ処理部２２から、処理後のビデオ信号が得られる。そのビデオ信号は、画像表示装置２５に供給され、画像表示装置２５の画面上に画像が表示される。
【００３２】
一方、オーディオＰＬＬ２４で、後述のように、分離されたピクセルクロックおよび分周比Ｍ，Ｎの情報から、オーディオクロックが再生され、分離されたオーディオデータは、オーディオ処理部２３で、オーディオＰＬＬ２４で再生されたオーディオクロックによって処理され、オーディオ処理部２３から、処理後のオーディオ信号が得られる。そのオーディオ信号は、音響出力装置２６に供給され、音響出力装置２６から音響（音声）が出力される。
【００３３】
〔オーディオＰＬＬの実施形態：図２〜図５〕
（第１の例：図２および図３）
図２に、オーディオＰＬＬ２４の第１の例を示す。
【００３４】
この例のオーディオＰＬＬ２４は、上述したように送信側１０でオーディオサンプリング周波数ｆｓが４８ｋＨｚと４４．１ｋＨｚに切り換えられることに対応して、発振部３０として２個のＶＣＯ３１，３２および切り換え選択回路３３を備えるものである。
【００３５】
ＶＣＯ３１は、ｆａ＝３８４ｆｓが１８．４３２ＭＨｚのオーディオクロックを得るものであり、ＶＣＯ３２は、ｆａ＝３８４ｆｓが１６．９３４４ＭＨｚのオーディオクロックを得るものであって、それぞれ、一定のジッター性能を確保できるように発振周波数レンジが狭いものとされるとともに、入力の制御電圧Ｖｃｔｌが大きくなるに従って直線的に発振周波数が高くなる特性を有するものである。
【００３６】
オーディオＰＬＬ２４は、このような発振部３０、分周器４１および４２、位相比較器４３、ループフィルタ４４、およびＶＣＯ制御部５０によって構成される。
【００３７】
分周器４１では、ｆｐ＝２７ＭＨｚのピクセルクロックが１／Ｍに分周されて、ｆｒ＝ｆｐ／Ｍの周波数の基準信号が得られ、分周器４２では、発振部３０の出力クロックが１／Ｎに分周されて、発振部３０の出力クロックの周波数をｆｏとすると、ｆｃ＝ｆｏ／Ｎの周波数の比較信号が得られる。
【００３８】
位相比較器４３では、分周器４１からの基準信号と分周器４２からの比較信号の位相が比較され、その比較結果の誤差信号が、ループフィルタ４４で平滑される。そして、ループフィルタ４４の出力電圧が、制御電圧ＶｃｔｌとしてＶＣＯ３１および３２に供給されて、ＶＣＯ３１および３２の発振周波数が制御される。
【００３９】
さらに、この例のＶＣＯ制御部５０は、ループフィルタ４４の出力の制御電圧Ｖｃｔｌ、すなわち位相比較器４３の出力の誤差信号から、オーディオサンプリング周波数ｆｓの変化を検出して、発振部３０の発振周波数レンジを切り換える、すなわちＶＣＯ３１とＶＣＯ３２のうちの一方を選択するものとされる。
【００４０】
図３に、ＶＣＯ制御部５０の具体例を示す。この例では、ループフィルタ４４の出力の制御電圧Ｖｃｔｌが、一方でバッファ４５を介してＶＣＯ３１および３２に供給されるとともに、他方でバッファ４６を介してＶＣＯ制御部５０に供給される。
【００４１】
ＶＣＯ制御部５０は、ローパスフィルタ５１、２個のコンパレータ５３および５４、および状態保持用のＲＳフリップフロップ５５によって構成される。
【００４２】
ローパスフィルタ５１は、制御電圧Ｖｃｔｌに一定の時定数を持たせるもので、このローパスフィルタ５１の出力電圧Ｖｃが、コンパレータ５３および５４で、それぞれ高電圧側の閾値電圧Ｖｔｈおよび低電圧側の閾値電圧Ｖｔｌと比較され、コンパレータ５３および５４の出力信号Ｃ１およびＣ２が、それぞれＲＳフリップフロップ５５のセット側およびリセット側に供給される。
【００４３】
そして、ＲＳフリップフロップ５５の一方の出力信号Ｓ１が、制御信号としてＶＣＯ３１に供給され、他方の出力信号Ｓ２が、制御信号としてＶＣＯ３２に供給される。
【００４４】
なお、図２に示した切り換え選択回路３３は、具体的に、図３の例では、ＶＣＯ３１の出力クロックと制御信号Ｓ１がＡＮＤゲート３５に供給され、ＶＣＯ３２の出力クロックと制御信号Ｓ２がＡＮＤゲート３６に供給され、ＡＮＤゲート３５および３６の出力信号がＯＲゲート３７に供給され、ＯＲゲート３７の出力信号が発振部３０の出力クロックとして取り出される構成とされる。
【００４５】
以上の例で、図６にケース１として示すように、ｆｓ＝４８ｋＨｚ，Ｍ＝２７０００,Ｎ＝１８４３２であるときには、ＶＣＯ制御部５０の後述のような検出制御によって、制御信号Ｓ１がアクティブ（高レベル）、制御信号Ｓ２が非アクティブ（低レベル）となって、ＶＣＯ３１がアクティブ、ＶＣＯ３２が非アクティブとされる。
【００４６】
したがって、このとき、ＶＣＯ３１の出力クロックが、発振部３０の出力クロックとして取り出されるとともに、分周器４２からの比較信号の周波数ｆｃが分周器４１からの基準信号の周波数ｆｒと等しい１ｋＨｚとなり、ＶＣＯ３１の発振周波数が１８．４３２ＭＨｚとなるようにＶＣＯ３１が制御されて、発振部３０の出力クロックとして１８．４３２ＭＨｚのオーディオクロックが得られる。
【００４７】
このとき、オーディオＰＬＬ２４は、ＶＣＯ制御部５０のローパスフィルタ５１の出力電圧Ｖｃ、すなわちループフィルタ４４の出力の制御電圧Ｖｃｔｌが、図５の電圧Ｖｓ付近で安定したロック状態となる。図５は、比較信号の周波数ｆｃ（＝ｆｏ／Ｎ）に対する出力電圧Ｖｃ（制御電圧Ｖｃｔｌ）の特性を示すもので、比較信号の周波数ｆｃが基準信号の周波数ｆｒ（＝ｆｐ／Ｍ）と等しいときには、すなわち、Ｍ＝２７０００,Ｎ＝１８４３２である場合には、ｆｃ＝ｆｒ＝１ｋＨｚであるときには、出力電圧Ｖｃ（制御電圧Ｖｃｔｌ）は電圧Ｖｓとなる。
【００４８】
図５で、電圧Ｖｍａｘおよび電圧Ｖｍｉｎは、それぞれ出力電圧Ｖｃ（制御電圧Ｖｃｔｌ）の最大値および最小値であり、電圧Ｖｔｈおよび電圧Ｖｔｌは、それぞれ図３に示した高電圧側の閾値電圧および低電圧側の閾値電圧である。
【００４９】
この状態から、図６にケース２として示すように、オーディオサンプリング周波数ｆｓが４４．１ｋＨｚに変化し、分周比Ｍ，ＮがＭ＝３００００,Ｎ＝１８８１６に変化すると、分周器４１からの基準信号の周波数ｆｒは９００Ｈｚとなるが、ＶＣＯ３１はアクティブのまま、４８ｋＨｚの３８４倍の１８．４３２ＭＨｚで発振し、その１８．４３２ＭＨｚのクロックが、発振部３０の出力クロックとして分周器４２に供給されるため、分周器４２からの比較信号の周波数ｆｃは、１８．４３２ＭＨｚ／１８８１６＝９８０ｋＨｚとなる。
【００５０】
その結果、比較信号の周波数ｆｃを９００Ｈｚに近づけ、ＶＣＯ３１の発振周波数を９００Ｈｚの１８８１６倍の１６．９３４４ＭＨｚに近づけるように、ループフィルタ４４の出力の制御電圧Ｖｃｔｌが、図５の特性に従って低下するが、ＶＣＯ３１の発振周波数レンジが狭いため、ＶＣＯ３１の発振周波数は１６．９３４４ＭＨｚまで下がりきらず、制御電圧Ｖｃｔｌ（ローパスフィルタ５１の出力電圧Ｖｃ）は、低電圧側の閾値電圧Ｖｔｌより低い最小値Ｖｍｉｎに張り付く状態となる。
【００５１】
そのため、図３のＶＣＯ制御部５０では、コンパレータ５４の出力信号Ｃ２が高レベルから低レベルに変化して、ＲＳフリップフロップ５５がリセットされ、ＲＳフリップフロップ５５の一方の出力の制御信号Ｓ１がアクティブ（高レベル）から非アクティブ（低レベル）に変化し、他方の出力の制御信号Ｓ２が非アクティブ（低レベル）からアクティブ（高レベル）に変化する。
【００５２】
これによって、ＶＣＯ３１が非アクティブ、ＶＣＯ３２がアクティブとされ、ＶＣＯ３２の出力クロックが、発振部３０の出力クロックとして取り出されて、分周器４２からの比較信号の周波数ｆｃが分周器４１からの基準信号の周波数ｆｒと等しい９００Ｈｚとなり、ＶＣＯ３２の発振周波数が１６．９３４４ＭＨｚとなるようにＶＣＯ３２が制御され、発振部３０の出力クロックとして１６．９３４４ＭＨｚのオーディオクロックが得られるようになる。
【００５３】
このとき、オーディオＰＬＬ２４は、ＶＣＯ制御部５０のローパスフィルタ５１の出力電圧Ｖｃ、すなわちループフィルタ４４の出力の制御電圧Ｖｃｔｌが、図５の電圧Ｖｓ付近で安定したロック状態となる。
【００５４】
この状態から、図６にケース１として示すように、オーディオサンプリング周波数ｆｓが４８ｋＨｚに変化し、分周比Ｍ，ＮがＭ＝２７０００，Ｎ＝１８４３２に変化すると、分周器４１からの基準信号の周波数ｆｒは１ｋＨｚとなるが、ＶＣＯ３２はアクティブのまま、４４．１ｋＨｚの３８４倍の１６．９３４４ＭＨｚで発振し、その１６．９３４４ＭＨｚのクロックが、発振部３０の出力クロックとして分周器４２に供給されるため、分周器４２からの比較信号の周波数ｆｃは、１６．９３４４ＭＨｚ／１８４３２＝９１９Ｈｚとなる。
【００５５】
その結果、比較信号の周波数ｆｃを１ｋＨｚに近づけ、ＶＣＯ３２の発振周波数を１ｋＨｚの１８４３２倍の１８．４３２ＭＨｚに近づけるように、ループフィルタ４４の出力の制御電圧Ｖｃｔｌが、図５の特性に従って上昇するが、ＶＣＯ３２の発振周波数レンジが狭いため、ＶＣＯ３２の発振周波数は１８．４３２ＭＨｚまで上がりきらず、制御電圧Ｖｃｔｌ（ローパスフィルタ５１の出力電圧Ｖｃ）は、高電圧側の閾値電圧Ｖｔｈより高い最大値Ｖｍａｘに張り付く状態となる。
【００５６】
そのため、図３のＶＣＯ制御部５０では、コンパレータ５３の出力信号Ｃ１が高レベルから低レベルに変化して、ＲＳフリップフロップ５５がセットされ、ＲＳフリップフロップ５５の一方の出力の制御信号Ｓ１が非アクティブ（低レベル）からアクティブ（高レベル）に変化し、他方の出力の制御信号Ｓ２がアクティブ（高レベル）から非アクティブ（低レベル）に変化する。
【００５７】
これによって、ＶＣＯ３１がアクティブ、ＶＣＯ３２が非アクティブとされ、ＶＣＯ３１の出力クロックが、発振部３０の出力クロックとして取り出されて、分周器４２からの比較信号の周波数ｆｃが分周器４１からの基準信号の周波数ｆｒと等しい１ｋＨｚとなり、ＶＣＯ３１の発振周波数が１８．４３２ＭＨｚとなるようにＶＣＯ３１が制御され、発振部３０の出力クロックとして１８．４３２ＭＨｚのオーディオクロックが得られるようになる。
【００５８】
以上のように、図２および図３の例では、送信側から受信側に、受信側のオーディオＰＬＬ２４をロックさせるための情報として、オーディオサンプリング周波数ｆｓを示す情報を伝送しなくても、オーディオサンプリング周波数ｆｓの変化に応じて、受信側のオーディオＰＬＬ２４のＶＣＯの発振周波数レンジを直ちに正確に切り換えることができ、オーディオサンプリング周波数ｆｓに対応した周波数ｆａのオーディオクロックを確実に再生することができる。
【００５９】
（第２の例：図４）
図２および図３の例は、ＶＣＯ制御部５０が、ループフィルタ４４の出力の制御電圧Ｖｃｔｌ、すなわち位相比較器４３の出力の誤差信号から、オーディオサンプリング周波数ｆｓの変化を検出して、発振部３０の発振周波数レンジを切り換える場合であるが、ＶＣＯ制御部５０が、発振部３０の発振周波数、すなわち発振部３０の出力クロックの周波数ｆｏから、オーディオサンプリング周波数ｆｓの変化を検出して、発振部３０の発振周波数レンジを切り換えるように構成することもできる。
【００６０】
図４に、その場合の例を示す。この例のＶＣＯ制御部５０は、周波数弁別回路５６、２個のコンパレータ５７および５８、および状態保持用のＲＳフリップフロップ５５によって構成される。
【００６１】
周波数弁別回路５６は、発振部３０の出力クロックの周波数ｆｏを弁別するもので、周波数ｆｏが高くなるに従って直線的に値が大きくなる出力電圧Ｖｆが得られるものである。
【００６２】
この周波数弁別回路５６の出力電圧Ｖｆが、コンパレータ５７および５８で、それぞれ高電圧側の閾値電圧Ｖｈおよび低電圧側の閾値電圧Ｖｌと比較され、コンパレータ５７および５８の出力信号Ｃ１およびＣ２が、それぞれＲＳフリップフロップ５５のセット側およびリセット側に供給される。
【００６３】
そして、ＲＳフリップフロップ５５の一方の出力信号Ｓ１が、制御信号としてＶＣＯ３１に供給され、他方の出力信号Ｓ２が、制御信号としてＶＣＯ３２に供給される。
【００６４】
その他は、図２の例と同じである。切り換え選択回路３３は、図３の例のように、２個のＡＮＤゲート３５および３６とＯＲゲート３７によって構成することができる。
【００６５】
この例で、図６にケース１として示すように、ｆｓ＝４８ｋＨｚ，Ｍ＝２７０００,Ｎ＝１８４３２であるときには、ＶＣＯ制御部５０の後述のような検出制御によって、制御信号Ｓ１がアクティブ（高レベル）、制御信号Ｓ２が非アクティブ（低レベル）となって、ＶＣＯ３１がアクティブ、ＶＣＯ３２が非アクティブとされる。
【００６６】
したがって、このとき、ＶＣＯ３１の出力クロックが、発振部３０の出力クロックとして取り出されるとともに、分周器４２からの比較信号の周波数ｆｃが分周器４１からの基準信号の周波数ｆｒと等しい１ｋＨｚとなり、ＶＣＯ３１の発振周波数が１８．４３２ＭＨｚとなるようにＶＣＯ３１が制御されて、発振部３０の出力クロックとして１８．４３２ＭＨｚのオーディオクロックが得られる。
【００６７】
この状態から、図６にケース２として示すように、オーディオサンプリング周波数ｆｓが４４．１ｋＨｚに変化し、分周比Ｍ，ＮがＭ＝３００００,Ｎ＝１８８１６に変化すると、分周器４１からの基準信号の周波数ｆｒは９００Ｈｚとなるが、ＶＣＯ３１はアクティブのまま、４８ｋＨｚの３８４倍の１８．４３２ＭＨｚで発振し、その１８．４３２ＭＨｚのクロックが、発振部３０の出力クロックとして分周器４２に供給されるため、分周器４２からの比較信号の周波数ｆｃは、１８．４３２ＭＨｚ／１８８１６＝９８０ｋＨｚとなる。
【００６８】
その結果、比較信号の周波数ｆｃを９００Ｈｚに近づけ、ＶＣＯ３１の発振周波数を９００Ｈｚの１８８１６倍の１６．９３４４ＭＨｚに近づけるように、ループフィルタ４４の出力の制御電圧Ｖｃｔｌが、図５の特性に従って低下するが、ＶＣＯ３１の発振周波数レンジが狭いため、ＶＣＯ３１の発振周波数は、１６．９３４４ＭＨｚまで下がりきらず、１８．４３２ＭＨｚより低く、１６．９３４４ＭＨｚより幾分高い、ある周波数となる。
【００６９】
したがって、低電圧側の閾値電圧Ｖｌを、この周波数より若干高い周波数に相当する電圧値とすることによって、このとき、周波数弁別回路５６の出力電圧Ｖｆが、閾値電圧Ｖｌより低くなって、コンパレータ５８の出力信号Ｃ２が高レベルから低レベルに変化し、ＲＳフリップフロップ５５がリセットされ、ＲＳフリップフロップ５５の一方の出力の制御信号Ｓ１がアクティブ（高レベル）から非アクティブ（低レベル）に変化し、他方の出力の制御信号Ｓ２が非アクティブ（低レベル）からアクティブ（高レベル）に変化する。
【００７０】
これによって、ＶＣＯ３１が非アクティブ、ＶＣＯ３２がアクティブとされ、ＶＣＯ３２の出力クロックが、発振部３０の出力クロックとして取り出されて、分周器４２からの比較信号の周波数ｆｃが分周器４１からの基準信号の周波数ｆｒと等しい９００Ｈｚとなり、ＶＣＯ３２の発振周波数が１６．９３４４ＭＨｚとなるようにＶＣＯ３２が制御され、発振部３０の出力クロックとして１６．９３４４ＭＨｚのオーディオクロックが得られるようになる。
【００７１】
この状態から、図６にケース１として示すように、オーディオサンプリング周波数ｆｓが４８ｋＨｚに変化し、分周比Ｍ，ＮがＭ＝２７０００，Ｎ＝１８４３２に変化すると、分周器４１からの基準信号の周波数ｆｒは１ｋＨｚとなるが、ＶＣＯ３２はアクティブのまま、４４．１ｋＨｚの３８４倍の１６．９３４４ＭＨｚで発振し、その１６．９３４４ＭＨｚのクロックが、発振部３０の出力クロックとして分周器４２に供給されるため、分周器４２からの比較信号の周波数ｆｃは、１６．９３４４ＭＨｚ／１８４３２＝９１９Ｈｚとなる。
【００７２】
その結果、比較信号の周波数ｆｃを１ｋＨｚに近づけ、ＶＣＯ３２の発振周波数を１ｋＨｚの１８４３２倍の１８．４３２ＭＨｚに近づけるように、ループフィルタ４４の出力の制御電圧Ｖｃｔｌが、図５の特性に従って上昇するが、ＶＣＯ３２の発振周波数レンジが狭いため、ＶＣＯ３２の発振周波数は、１８．４３２ＭＨｚまで上がりきらず、１６．９３４４ＭＨｚより高く、１８．４３２ＭＨｚより幾分低い、ある周波数となる。
【００７３】
したがって、高電圧側の閾値電圧Ｖｈを、この周波数より若干低い周波数に相当する電圧値とすることによって、このとき、周波数弁別回路５６の出力電圧Ｖｆが、閾値電圧Ｖｈより高くなって、コンパレータ５７の出力信号Ｃ１が高レベルから低レベルに変化し、ＲＳフリップフロップ５５がセットされ、ＲＳフリップフロップ５５の一方の出力の制御信号Ｓ１が非アクティブ（低レベル）からアクティブ（高レベル）に変化し、他方の出力の制御信号Ｓ２がアクティブ（高レベル）から非アクティブ（低レベル）に変化する。
【００７４】
これによって、ＶＣＯ３１がアクティブ、ＶＣＯ３２が非アクティブとされ、ＶＣＯ３１の出力クロックが、発振部３０の出力クロックとして取り出されて、分周器４２からの比較信号の周波数ｆｃが分周器４１からの基準信号の周波数ｆｒと等しい１ｋＨｚとなり、ＶＣＯ３１の発振周波数が１８．４３２ＭＨｚとなるようにＶＣＯ３１が制御され、発振部３０の出力クロックとして１８．４３２ＭＨｚのオーディオクロックが得られるようになる。
【００７５】
以上のように、図４の例でも、送信側から受信側に、受信側のオーディオＰＬＬ２４をロックさせるための情報として、オーディオサンプリング周波数ｆｓを示す情報を伝送しなくても、オーディオサンプリング周波数ｆｓの変化に応じて、受信側のオーディオＰＬＬ２４のＶＣＯの発振周波数レンジを直ちに正確に切り換えることができ、オーディオサンプリング周波数ｆｓに対応した周波数ｆａのオーディオクロックを確実に再生することができる。
【００７６】
〔他の実施形態〕
上述した実施形態は、オーディオサンプリング周波数ｆｓが２通りに切り換えられる場合であるが、オーディオサンプリング周波数ｆｓが３通り以上に切り換えられる場合にも、発振部３０およびＶＣＯ制御部５０を、それに対応した構成にすることによって、この発明を適用することができる。
【００７７】
また、上述した実施形態は、ピクセルクロック周波数ｆｐが２７ＭＨｚの場合であるが、この発明は、ピクセルクロック周波数が２７ＭＨｚ以外の周波数の場合にも、さらにはピクセルクロック周波数が、２７ＭＨｚと７４ＭＨｚとに切り換えられるなど、複数通りに切り換えられる場合にも、適用することができる。
【００７８】
さらに、上述した実施形態は、ビデオデータにオーディオデータを多重化して伝送する場合であるが、この発明は、オーディオデータ以外のインフォメーションデータなどのコンテンツデータにオーディオデータを多重化して伝送する場合にも適用することができる。
【図面の簡単な説明】
【００７９】
【図１】この発明のデジタル伝送システムの一実施形態を示す図である。
【図２】受信側のオーディオＰＬＬの一例を示す図である。
【図３】図２のオーディオＰＬＬのＶＣＯ制御部の具体例を示す図である。
【図４】受信側のオーディオＰＬＬの他の例を示す図である。
【図５】比較信号の周波数に対する制御電圧の特性を示す図である。
【図６】オーディオサンプリング周波数、オーディオクロック周波数および分周比の例を示す図である。
【図７】従来のオーディオＰＬＬを示す図である。
【符号の説明】
【００８０】
主要部については図中に全て記述したので、ここでは省略する。
【図１】
2005065093.tif 000003
【図２】
2005065093.tif 000004
【図３】
2005065093.tif 000005
【図４】
2005065093.tif 000006
【図５】
2005065093.tif 000007
【図６】
2005065093.tif 000008
【図７】
2005065093.tif 000009